(57)【要約】【課題】罫引きを簡単に行うことができる書込み装置を提供する。【解決手段】電子黒板装置（書込み装置）の表示枠３の左側の内縁３ａに、筆記シート１の搬送方向Ａ−Ｂに直線を引くために、ペンの先端を位置決めする複数のペン位置決め部４０を設ける。そして、所望の位置にあるペン位置決め部４０の縁面にペンの芯保持部をあてるとともにペンの先端を筆記シート１にあてて、操作部の戻しキーを押下し、筆記シート１に横直線を引く。【選択図】        図４
2004223826.tif 000002
【特許請求の範囲】
【請求項１】
表示枠内に筆記シートを搬送可能に張り渡し、その筆記シートにペンを用いて書き込みを行う書込み装置において、
前記筆記シートの搬送方向に直線を引くために、前記表示枠またはそれに取り付けて前記搬送方向と直交する方向に配置する位置決め部材に、前記ペンの先端を位置決めするペン位置決め部を設けることを特徴とする、書込み装置。
【請求項２】
前記表示枠の内縁または前記位置決め部材の縁部を切り欠いて、前記ペン位置決め部を設けることを特徴とする、請求項１に記載の書込み装置。
【請求項３】
前記表示枠の内縁または前記位置決め部材の縁部をＶ字状に切り欠いて前記ペン位置決め部を設けることを特徴とする、請求項２に記載の書込み装置。
【請求項４】
前記表示枠の内縁または前記位置決め部材の縁部をＵ字状に切り欠いて前記ペン位置決め部を設けることを特徴とする、請求項２に記載の書込み装置。
【請求項５】
前記ペン位置決め部を複数設けることを特徴とする、請求項１ないし４のいずれか１に記載の書込み装置。
【請求項６】
前記表示枠または前記位置決め部材にペン位置決め孔を形成して、そのペン位置決め孔に前記ペン位置決め部を設けることを特徴とする、請求項１に記載の書込み装置。
【請求項７】
前記ペン位置決め孔を複数設けることを特徴とする、請求項６に記載の書込み装置。
【請求項８】
前記表示枠または前記位置決め部材に、前記筆記シートの搬送方向と直交する方向に沿って長孔を形成し、その長孔の内縁を切り欠いて前記ペン位置決め部を複数設けることを特徴とする、請求項１に記載の書込み装置。
【請求項９】
前記長孔の片側側縁を、前記筆記シートの搬送方向と直交する方向にまっすぐな定規部とすることを特徴とする、請求項８に記載の書込み装置。
【請求項１０】
前記表示枠または前記位置決め部材に、前記筆記シートの搬送方向と直交する方向にまっすぐな定規孔を形成し、その定規孔の両長側縁を定規部とすることを特徴とする、請求項１ないし７のいずれか１に記載の書込み装置。
【請求項１１】
前記ペン位置決め部を、前記表示枠の前記筆記シートの搬送方向両側に設けることを特徴とする、請求項１ないし８のいずれか１に記載の書込み装置。
【請求項１２】
前記ペン位置決め部の縁面を、前記表示枠の外向きに開くように傾斜して設けることを特徴とする、請求項１ないし１１のいずれか１に記載の書込み装置。
【請求項１３】
前記筆記シートに格子模様を構成する線を形成し、その線上に合致して前記直線を引くことができるように前記ペン位置決め部を設けることを特徴とする、請求項１ないし１２のいずれか１に記載の書込み装置。
【発明の詳細な説明】
【０００１】
【発明の属する技術分野】
この発明は、電子黒板装置、お絵書きボードなどの書込み装置に関する。詳しくは、消去可能に手書きする筆記シートを搬送可能に備える書込み装置に関する。
【０００２】
【従来の技術】
従来の書込み装置において、筆記シートに直線などを引くときは、別途用意した定規を書込面にあててペンで引いていた。
【０００３】
しかし、定規よりも長い直線を引こうとするときは、定規を移動して線を継ぎ足して引いていたため、効率が悪く、継ぎ目に段差がついてしまい見栄えが悪いという問題があった。また、表などを作成するために直線を何本も引くときは、すでに書いた直線上を定規が擦って直線が消えたり、書込面が汚れたりして見栄えが悪いという問題があった。
【０００４】
そこで、書込み装置の罫引装置として、次のような文献が開示されている。
【０００５】
【特許文献１】
特開平１−４２２９８号公報
【０００６】
この文献に開示されている罫引装置は、書込み装置の表示枠に水平方向にレールを設け、罫引装置に備える取付部材をそのレールに移動自在に取り付ける。
【０００７】
この罫引装置で、横直線を引くには、罫引装置に備えるペンホルダを適宜、垂直方向に移動して固定した後、ペンホルダにペンを装着して、罫引装置を移動させながら、横直線を引く。
【０００８】
また、縦直線を引くには、罫引装置をレールに沿って適宜、水平方向に移動した後、罫引装置に備えるペンホルダにペンを装着した後、ペンホルダを罫引装置内で垂直方向に移動させて、縦直線を引く。
【０００９】
しかし、このような罫引装置を備えた書込み装置では、電子黒板の表示枠にレールを設けなければならず、構造が複雑であった。そこで、次のような罫引装置を備えた書込み装置が開示されている。
【００１０】
【特許文献２】
特開平１０−２９３９８号公報
【００１１】
この文献に開示されている罫引装置は、罫引装置にローラ対を備え、そのローラ対を書込み装置の表示枠に直接取り付ける。
【００１２】
この罫引装置で、横直線を引くには、罫引装置に備えるペンホルダを適宜、垂直方向に移動して固定した後、ペンホルダにペンを装着して、罫引装置を移動させながら、横直線を引く。
【００１３】
また、縦直線を引くには、罫引装置をレールに沿って適宜、水平方向に移動した後、罫引装置に備えるペンホルダにペンを装着した後、ペンホルダを罫引装置内で垂直方向に移動させて、縦直線を引く。
【００１４】
【発明が解決しようとする課題】
しかし、このような罫引装置を備えた書込み装置は、罫引装置に設けたペンホルダ自身を縦横に移動する必要があるから、罫引き操作が面倒であるという問題がある。
【００１５】
そこで、この発明の目的は、罫引きを簡単に行うことができる書込み装置を提供することにある。
【００１６】
【課題を解決するための手段】
そのため、請求項１に記載の発明は、表示枠内に筆記シートを搬送可能に張り渡し、その筆記シートにペンを用いて書き込みを行う書込み装置において、前記筆記シートの搬送方向に直線を引くために、前記表示枠またはそれに取り付けて前記搬送方向と直交する方向に配置する位置決め部材に、前記ペンの先端を位置決めするペン位置決め部を設けることを特徴とする。
【００１７】
請求項２に記載の発明は、請求項１に記載の書込み装置において、前記表示枠の内縁または前記位置決め部材の縁部を切り欠いて、前記ペン位置決め部を設けることを特徴とする。
【００１８】
請求項３に記載の発明は、請求項２に記載の書込み装置において、前記表示枠の内縁または前記位置決め部材の縁部をＶ字状に切り欠いて前記ペン位置決め部を設けることを特徴とする。
【００１９】
請求項４に記載の発明は、請求項２に記載の書込み装置において、前記表示枠の内縁または前記位置決め部材の縁部をＵ字状に切り欠いて前記ペン位置決め部を設けることを特徴とする。
【００２０】
請求項５に記載の発明は、請求項１ないし４のいずれか１に記載の書込み装置において、前記ペン位置決め部を複数設けることを特徴とする。
【００２１】
請求項６に記載の発明は、請求項１に記載の書込み装置において、前記表示枠または前記位置決め部材にペン位置決め孔を形成して、そのペン位置決め孔に前記ペン位置決め部を設けることを特徴とする。
【００２２】
請求項７に記載の発明は、請求項６に記載の書込み装置において、前記ペン位置決め孔を複数設けることを特徴とする。
【００２３】
請求項８に記載の発明は、請求項１に記載の書込み装置において、前記表示枠または前記位置決め部材に、前記筆記シートの搬送方向と直交する方向に沿って長孔を形成し、その長孔の内縁を切り欠いて前記ペン位置決め部を複数設けることを特徴とする。
【００２４】
請求項９に記載の発明は、請求項８に記載の書込み装置において、前記長孔の片側側縁を、前記筆記シートの搬送方向と直交する方向にまっすぐな定規部とすることを特徴とする。
【００２５】
請求項１０に記載の発明は、請求項１ないし７のいずれか１に記載の書込み装置において、前記表示枠または前記位置決め部材に、前記筆記シートの搬送方向と直交する方向にまっすぐな定規孔を形成し、その定規孔の両長側縁を定規部とすることを特徴とする。
【００２６】
請求項１１に記載の発明は、請求項１ないし８のいずれか１に記載の書込み装置において、前記ペン位置決め部を、前記表示枠の前記筆記シートの搬送方向両側に設けることを特徴とする。
【００２７】
請求項１２に記載の発明は、請求項１ないし１１のいずれか１に記載の書込み装置において、前記ペン位置決め部の縁面を、前記表示枠の外向きに開くように傾斜して設けることを特徴とする。
【００２８】
請求項１３に記載の発明は、請求項１ないし１２のいずれか１に記載の書込み装置において、前記筆記シートに格子模様を構成する線を形成し、その線上に合致して前記直線を引くことができるように前記ペン位置決め部を設けることを特徴とする。
【００２９】
【発明の実施の形態】
以下、図面を参照しつつ、この発明の実施の形態につき説明する。
【００３０】
図１は、本発明の書込み装置の一例である電子黒板装置の概略構成を示す図である。図に示すように、電子黒板装置には、電子黒板本体２、操作部４、プリンタ５、スタンド６などがそなえられている。
【００３１】
電子黒板本体２は、一定の厚みを持ったプラスチックなどで形成された矩形の表示枠３内に、消去可能に書き込みを行うことのできる筆記シート１を搬送可能に張り渡し、第１書込面１ａを形成する。また、操作部４は、後述する操作キーにより電子黒板装置の各種操作を行うものである。
【００３２】
そして、プリンタ５は、筆記シート１上に書き込まれた内容を用紙に印刷出力するものである。さらに、スタンド６は、下部にキャスタ７を設け、電子黒板本体２を直立状態で支えるものである。なお、プリンタ５は、取付部８によりスタンド６に取り付けられている。
【００３３】
電子黒板本体２は、図２に示すように、フレーム９の内部にシート搬送手段１９、読取手段１４などをそなえる。シート搬送手段１９は、駆動ローラ１１と従動ローラ１２，５１，５２を備え、筆記シート１は、これらのローラの間に掛け回され、表示窓である書込面を第１書込面１ａとすると順に、第１書込面１ａ、第２書込面１ｂ、第３書込面１ｃ、第４書込面１ｄを形成する。
【００３４】
また、駆動ローラ１１には、図示しない駆動源であるステップモータが接続され、従動ローラ１２，５１，５２には、図示しないシートテンション機構が配置され、筆記シート１に張力を施している。さらに、第１書込面１ａの裏面側には、スクリーンボード１３が設けられている。
【００３５】
また、筆記シート１の奥には、書込み内容を、読取位置Ｐにおいて読み取る読取手段１４をそなえ、読取手段１４は、光源１５、ミラー１６、レンズ１７、光―電気変換器であるＣＣＤ１８をそなえる。
【００３６】
そして、操作部４は、詳しくは図３に示すように構成されている。すなわち、操作部４には、電子黒板装置の電源のＯＮ，ＯＦＦを行う電源キー２２、筆記シート１の先送りを行う送りキー２３、筆記シート１の逆戻しする戻しキー２４、プリンタ５のヘッドをクリーニングするクリーニングキー２５、読取濃度を変更する濃度キー２６、コピーモードを変更するモードキー２７、コピー枚数を変更する枚数キー２８、印刷を開始するコピーキー２９、コピーを中断させるコピーストップキー３０などの複数の操作キーがそなえられている。なお、電源キー２２をＯＮにすると、読取濃度、コピーモードは標準に設定され、コピー枚数は１枚に設定される。
【００３７】
加えて、電源がＯＮのときに点灯する電源ＬＥＤ３１、紙詰まりなどのエラーが発生したときに点灯するエラーＬＥＤ３２、クリーニング作動中に点灯するクリーニングＬＥＤ３３、濃度キー２６により読取濃度を濃く設定したときに点灯する濃いＬＥＤ３４、薄く設定したときに点灯する薄いＬＥＤ３５、モードキー２７により追加コピーを設定したときに点灯する追加ＬＥＤ３６、モードキー２７にて、第１書込面１ａと第２書込面１ｂの内容を１枚の用紙にコピーする、２ページ集約を設定したときに点灯する２ページ集約ＬＥＤ３７、第１〜第４書込面の内容を１枚の用紙にコピーする４ページ集約を設定したときに点灯する４ページ集約ＬＥＤ５３、第１〜第４書込面を連続的に４枚の用紙にコピーする４ページ連続を設定したときに点灯する４ページ連続ＬＥＤ５４、枚数キー２８が押される毎に１〜９までの数字を変化して表示する７セグメントＬＥＤ３８などの複数のＬＥＤがそなえられている。
【００３８】
このように構成された電子黒板装置を使用するときは、図３の操作部４の電源キー２２を押下し、電源をＯＮにして、電源ＬＥＤ３１を点灯させる。次に、図１の第１書込面１ａに、ペンを用いて絵や文字などの書込みを行う。
【００３９】
第１書込面１ａがいっぱいになったら、送りキー２３を押し、筆記シート１を送り、第２書込面１ｂを表示枠３内に臨ませ、続けて絵や文字などを書き込む。そして、第１書込面１ａの内容を見たいときは、戻しキー２４を押し、筆記シート１を戻し、第１書込面１ａを表示枠３内に臨ませる。
【００４０】
一方、エラーが生じたときには、エラーＬＥＤ３２が点灯し、ユーザーに警告する。
【００４１】
そして、第１書込面１ａの書込み内容を読み取って印刷するには、図３の操作部４において、コピーキー２９を押下する。
【００４２】
すると、操作部４から送信された信号が、ＣＰＵにコピーの開始を通知する。これにより、図２において、図示しないステッピングモータが、駆動ローラ１１を回転させて筆記シート１を矢印のａ方向に搬送し、第１書込面１ａの先端から読取位置Ｐを順次通過して、読取手段１４が第１書込面１ａの書込み内容を順次読み取り、プリンタ５に送信して用紙に印刷することによりコピーがなされる。
【００４３】
なお、前述のように、電源キー２２をＯＮにすると、読取濃度、コピーモードは標準に設定され、コピー枚数は１枚に設定されるので、読取濃度を変更するときは濃度キー２６を、コピーモードを変更するときはモードキー２７を、コピー枚数を変更するときは枚数キー２８を必要に応じてそれぞれ押下して変更してコピーモードを変更した後、コピーキー２９を押下する。
【００４４】
そして、電子黒板の使用を終了するときは、再度、電源キー２２を押下してＯＦＦとすると、電源ＬＥＤ３１が消灯する。
【００４５】
ところで、この例の電子黒板装置の表示枠３の左側の内縁３ａには、図４に示すように、筆記シート１の搬送方向に横直線を引くために筆記シート１に対してペンの先端を位置決めするペン位置決め部４０を設ける。この位置決め部４０は、筆記シート１の搬送方向Ａ−Ｂに対して直交する方向に複数並べて設けられる。
【００４６】
このペン位置決め部４０は、詳しくは、図５（ａ），（ｂ）に示すように、例えば、表示枠３の内縁３ａを一定間隔ｄ、開口幅ｗでＶ字状に切り欠いて形成される。そして、縁面４０ａを表示枠３の外向きに開くように傾斜して設ける。なお、ペン位置決め部４０どおしの間隔は、必ずしも一定間隔でなくともよい。
【００４７】
一方、表示枠３の右側の内縁３ｂは、ペン位置決め部４０が形成されず、図５（ｃ）に示すように、縁面を定規部５６とする。
【００４８】
このように構成されたペン位置決め部４０を用いて、筆記シート１の第１書込面１ａに横直線を引くときは、ユーザーは、操作部４の送りキー２３を押下して、第１書込面１ａを所望の箇所まで矢印Ａの方向に搬送し、送りキー２３から手を離す。そして、手でペン４１を掴んで、図６，７に示すように、ペン４１の芯保持部４１ａを所望のペン位置決め部４０の縁面４０ａにあてて第１書込面１ａに対してペン４１の先端４１ｂを位置決めして、保持する。
【００４９】
このとき、ペン位置決め部４０がＶ字状に形成されているので、ペン４１の芯保持部４１ａの大きさや形状に左右されることなく、安定して芯保持部４１ａを保持することができる。また、ペン位置決め部４０は、縁面４０ａを表示枠３の外向きに傾斜して設けるので、ペン４１を傾けた状態で保持することができる。
【００５０】
次に、ペン４１をペン位置決め部４０に保持しながら、操作部４の戻しキー２４を適宜、指で押して、矢印Ｂの方向に第１書込面１ａを搬送し、所望の長さの横直線Ｌ１を引き終えたら、戻しキー２４から指を離して、ペン４１をペン位置決め部４０から離す。
【００５１】
続けて、別の横直線を引きたいときは、操作部４の送りキー２３または戻しキー２４を押下して、第１書込面１ａを所望の箇所まで搬送した後、送りキー２３または戻しキー２４から手を離し、所望の別のペン位置決め部４０にペン４１の先端４１ｂをあてて第１書込面１ａに対して位置決めする。そして、前述のように、所望の長さの横直線を引き終えたら、ペン４１をペン位置決め部４０から離す。
【００５２】
また、第１書込面１ａに縦直線を引くときは、指で操作部４の送りキー２３または戻しキー２４を押下して所望の位置が定規部５６に到達するまで第１書込面１ａを搬送する。そして、手でペン４１を掴んで、ペン４１の先端４１ｂが所望の位置となるようにして芯保持部４１ａを、定規部５６にあてる。そして、定規部５６に沿って必要な長さだけ縦直線を引く。
【００５３】
縦直線を引き終えたら、ペン４１を第１書込面１ａから離す。また、別の縦直線を引きたいときは、再び指で操作部４の送りキー２３または戻しキー２４を押下して所望の位置が定規部５６に到達するまで第１書込面１ａを搬送する。そして、前述の要領で、別の縦直線を引く。
【００５４】
なお、ペン位置決め部４０は、図８（ａ）に示すものに限定されるものではなく、例えば、図８（ｂ）に示すように、隣合うペン位置決め部４０の間隔ｄを開口幅ｗとしてもよい。このようにすると、ペン位置決め部４０の間隔を最小として、最も狭い間隔で横直線を引くことができる。
【００５５】
また、ペン位置決め部４０の形状は、Ｖ字状に限定されるものではなく、例えば、図９に示すように、表示枠３の内縁３ａを一定間隔で凹状に切り欠いても、Ｕ字状に切り欠いてもよい。
【００５６】
ところで、上述の例では、ペン位置決め部４０を表示枠３の筆記シート１搬送方向の片側である左側の内縁３ａに設けたが、この発明はこれに限定されるものではなく、図１０（ａ）に示すように、筆記シート１の搬送方向の両側の内縁３ａ，３ｂに設けるようにしてもよい。このようにすると、ユーザーが右利きであっても左利きであっても容易に横直線を引くことができる。
【００５７】
また、図１０（ｂ）に示すように、筆記シート１の両端を従動ローラ４６Ａ，４６Ｂを介して駆動ローラ４５Ａ，４５Ｂに巻き付けるタイプの書込み装置においては、ペン位置決め部４０を表示枠３の左側の内縁３ａにのみ設けると、筆記シート１を駆動ローラ４５Ａで巻き取るとき、最後の書込面に横直線を引くことができない。したがって、図１０（ａ）のように、表示枠３の筆記シート１搬送方向の両側の内縁３ａ，３ｂにそれぞれペン位置決め部４０を設けると全ての書込面に横直線を引くことができる。
【００５８】
また、図１１に示すように、筆記シート１に印刷などで格子模様を構成する縦横線を形成し、その横線４７上に合致して横直線Ｌ１を引くことができるようにペン位置決め部４０を設けてもよい。
【００５９】
上述の例では、表示枠３の内縁３ａをＶ字状に切り欠いてペン位置決め部４０を設けたが、この発明はこれに限定されるものではなく、表示枠３の表面に、ペン位置決め部を有するペン位置決め部材をヒンジなどを介して取付け、ペン位置決め部材を表示枠３上に折り畳んで備えてもよい。この場合、表示枠内に横直線を引くときにのみ、ヒンジで回動してペン位置決め部材を表示枠内に張り出して備え、横直線を引かないときは、ヒンジで回動してペン位置決め部材を表示枠３内の書込み面から退避して表示枠上に折り畳んで収納すると、横直線を引かないときに、ペン位置決め部材に邪魔されることなく表示枠内を有効に使用することができ、好適である。
【００６０】
次に、この発明の他例について説明する。図１２に示すように、表示枠３の左側の縦枠３ｃにペン位置決め孔４２を複数形成する。このペン位置決め孔４２は、筆記シート１の搬送方向Ａ−Ｂに対して直交する方向に一定間隔で複数並べて設ける。
【００６１】
このペン位置決め孔４２は、詳しくは、図１３（ａ），（ｂ）に示すように、表示枠３の左側の縦枠３ｃに楕円形状に形成される。また、そのペン位置決め孔４２の長径方向両縁の円弧状部分をペン位置決め部４３とし、その縁面４３ａを表示枠３の外向きに開くように傾斜して設ける。
【００６２】
このように構成されたペン位置決め孔４２を用いて、筆記シート１の第１書込面１ａに横直線を引くときは、操作部４の送りキー２３を押下して所望の箇所まで、第１書込面１ａを搬送し、送りキー２３から手を離す。そして、手でペン４１を掴んで、ペン４１の芯保持部４１ａを図１４，１５に示すように、所望のペン位置決め部４３の縁面４３ａにあてて第１書込面１ａに対してペン４１の先端４１ｂを位置決めして、保持する。このとき、ペン位置決め部４３が円弧状に形成されているので、ペン４１の芯保持部４１ａの大きさや形状に左右されることなく、安定して芯保持部４１ａを保持することができる。
【００６３】
次に、手でペン４１をペン位置決め部４３に保持しながら、操作部４の戻しキー２４を適宜、指で押しながら、矢印Ｂの方向に第１書込面１ａを搬送し、所望の長さの横直線Ｌ１を引き終えたら、戻しキー２４から指を離して、ペン４１をペン位置決め部４３から離す。
【００６４】
続けて、別の横直線を引きたいときは、操作部４の送りキー２３または戻しキー２４を押下して、第１書込面１ａを所望の箇所まで搬送した後、ペン４１を別のペン位置決め孔４２のペン位置決め部４３にあてて、第１書込面１ａに対してペン４１の先端４１ｂを位置決めする。そして、前述のように、所望の長さの横直線を引き終えたら、送りキー２３または戻しキー２４から指を離して、ペン４１をペン位置決め部４３から離す。
【００６５】
また、第１書込面１ａに縦直線を引くときは、指で操作部４の送りキー２３または戻しキー２４を押下して所望の位置が、図５（ｃ）と同様に構成された内縁３ａ，３ｂである定規部５６ａまたは定規部５６ｂに到達するまで第１書込面１ａを搬送する。そして、手でペン４１を掴んで、ペン４１の先端４１ｂが所望の位置となるように芯保持部４１ａを、定規部５６ａまたは定規部５６ｂにあてる。そして、定規部５６ａまたは定規部５６ｂに沿って必要な長さだけ縦直線を引く。
【００６６】
引き終えたら、ペン４１を第１書込面１ａから離す。また、別の縦直線を引きたいときは、再び指で操作部４の送りキー２３または戻しキー２４を押下して所望の位置が定規部５６ａあるいは定規部５６ｂに到達するまで第１書込面１ａを移動させる。そして、前述の要領で、別の縦直線を引く。
【００６７】
なお、縦直線を引くときに、ユーザーに近い方、または、ユーザーの利き手などにより定規部５６ａまたは、定規部５６ｂを適宜選択することができる。
【００６８】
また、ペン位置決め孔４２の形状は、楕円形状に限定されるものではなく、例えば、図１６に示すように、矩形状でも、ひし形状であってもよい。
【００６９】
ところで、上述の例では、ペン位置決め孔４２を表示枠３の左側の縦枠３ｃに設けたが、この発明はこれに限定されるものではなく、表示枠３の右側の縦枠３ｄに設けてもよいし、図１７に示すように、表示枠３の筆記シート１搬送方向両側の縦枠３ｃ，３ｄに設けてもよい。
【００７０】
このとき、縦枠３ｃに設けるペン位置決め孔４２は、縦枠３ｄに設けるペン位置決め孔４２と同一の大きさで同一の間隔であってもよいし、異なるようにしてもよい。
【００７１】
次に、この発明のさらに他例について説明する。図１８に示すように、表示枠３の左側の縦枠３ｃ上に、筆記シート１の搬送方向Ａ−Ｂと直交する方向に沿って筆記シート１に縦横直線を引くための矩形状の長孔５５を形成し、その長孔５５の左側の側縁５５ａを切り欠いて、筆記シート１の搬送方向Ａ−Ｂに横直線を引くためのペン位置決め部４０を複数設けるとともに、右側の側縁５５ｂを筆記シート１の搬送方向と直交する方向に縦直線を引くためのまっすぐな定規部５６とする。このペン位置決め部４０は、図５（ａ），（ｂ）に示すものと同様であるので説明を省略する。また、定規部５６の形状は、図５（ｃ）に示すものと同様であるので、説明を省略する。
【００７２】
このように構成された長孔５５を用いて、筆記シート１の第１書込面１ａに横直線を引く動作は、図６，７の例と同様であるので説明を省略する。
【００７３】
また、第１書込面１ａに縦直線を引くときは、指で操作部４の送りキー２３や戻しキー２４を押下して所望の位置が、定規部５６に到達するまで第１書込面１ａを搬送する。そして、手でペン４１を掴んで、ペン４１の先端４１ｂが所望の位置となるように芯保持部４１ａを、定規部５６にあてる。そして、図１９に示すように、定規部５６に沿って必要な長さだけ縦直線Ｌ２を引く。
【００７４】
引き終えたら、ペン４１を第１書込面１ａから離す。また、別の縦直線を引きたいときは、指で操作部４の送りキー２３または戻しキー２４を押下して所望の位置が定規部５６に到達するまで第１書込面１ａを搬送する。そして、前述の要領で、別の縦直線を引く。
【００７５】
ところで、上述の例では、長孔５５を表示枠３の縦枠３ｃに設けたが、この発明はこれに限定されるものではなく、表示枠３の右側の縦枠３ｄに設けてもよいし、図２０に示すように、表示枠３の筆記シート１搬送方向の両側の縦枠３ｃ，３ｄに設けてもよい。
【００７６】
次に、この発明のさらにまた他例について説明する。図２１に示すように、表示枠３の筆記シート１搬送方向の両側の縦枠３ｃ，３ｄに、筆記シート１の搬送方向と直交する方向に縦直線を引くための矩形状の定規孔５７を形成し、その２つの長側縁５７ａ，５７ｂを筆記シート１に縦直線を引くための定規部５６ａ，５６ｂとする。この定規部５６ａ，５６ｂの形状は、図５（ｃ）に示すものと同様であるので、説明を省略する。
【００７７】
また、表示枠３の筆記シート１の搬送方向Ａ−Ｂの両内縁３ａ，３ｂに、横直線を引くための複数のペン位置決め部４０を筆記シート１の搬送方向Ａ−Ｂに直交する方向に並べて設ける。このペン位置決め部４０の形状は、図５（ａ），（ｂ）に示すものと同様であるので、説明を省略する。
【００７８】
このように構成されたペン位置決め部４０を用いて、筆記シート１の第１書込面１ａに横直線を引く動作は、図６，７の例と同様であるので説明を省略する。
【００７９】
また、定規部５６ａまたは定規部５６ｂを用いて第１書込面１ａに縦直線を引くときは、指で操作部４の送りキー２３または戻しキー２４を押下して所望の位置が、定規部５６ａまたは定規部５６ｂに到達するまで第１書込面１ａを搬送する。そして、図２２に示すように、手でペン４１を掴んで、ペン４１の先端４１ｂが所望の位置となるように芯保持部４１ａを、定規部５６ａまたは定規部５６ｂにあてる。そして、定規部５６ａまたは定規部５６ｂに沿って必要な長さだけ縦直線Ｌ２を引く。
【００８０】
引き終えたら、ペン４１を第１書込面１ａから離す。また、別の縦直線を引きたいときは、再び指で操作部４の送りキー２３または戻しキー２４を押下して所望の位置が定規部５６ａまたは定規部５６ｂに到達するまで第１書込面１ａを移動させる。そして、前述の要領で、別の縦直線を引く。
【００８１】
なお、縦直線を引くときに、定規部５６ａを使用するか、定規部５６ｂを使用するかは、ユーザーの好みや利き手などにより適宜選択することができる。
【００８２】
ところで、上述の例では、定規孔５７を表示枠３の、筆記シート１の搬送方向両側の縦枠３ｃ，３ｄに設けたが、この発明はこれに限定されるものではなく、表示枠３の左右いずれかの縦枠にのみ設けるようにしてもよい。
【００８３】
なお、上述の例では、書込み装置の例として、電子黒板について説明したが、この発明はこれに限定されるものではなく、例えば、幼児が使用するお絵書きボードや、表示枠内に筆記シートを搬送可能に張り渡し、手動で書込面を搬送するホワイトボードなどの書込み装置にも適用しうる。
【００８４】
また、上述の例では、筆記シートの搬送方向を横方向としたが、この発明はこれに限定されるものではなく、搬送方向は縦方向であってもよい。
【００８５】
さて、上述した例では、筆記シート１の搬送方向Ａ−Ｂに直線を引くために、表示枠３にペン４１の先端を位置決めするペン位置決め部４０，４３を設けた。しかし、図２３に示すように、表示枠３ではなくそれに取り付ける位置決め部材６０に、ペン４１の先端を位置決めするペン位置決め部６０ａを設けるようにしてもよい。
【００８６】
位置決め部材６０は、帯板状で、Ｌ字状に折り曲げた上端を表示枠３の頂枠３ｅ上に乗せ、頂枠３ｅにナット６２で固定する段付きねじ６１で、その段付きねじ６１を中心として回動自在に取り付け、下端側を下方に向けてまっすぐのばして筆記シート１の搬送方向Ａ−Ｂと直交する方向に配置する。そして、図２４から判るとおり、途中に段差６０ｂ，６０ｃを設けて表示枠３の正面および表示枠３内の筆記シート１表面に沿うように設ける。ペン位置決め部６０ａは、その位置決め部材６０の片側縁部を、例えばＶ字状やＵ字状に切り欠いて複数設ける。
【００８７】
位置決め部材６０には、図示省略するが、図１２から図１７に示すと同様に、ペン位置決め孔を形成して、そのペン位置決め孔にペン位置決め部を設けるようにしてもよい。また、図１８から図２０に示すと同様に、筆記シート１の搬送方向Ａ−Ｂと直交する方向に沿って長孔を形成し、その長孔の内縁を切り欠いて、ペン位置決め部を複数設けるようにしてもよい。このとき、図２１から図２２に示すと同様に、長孔の片側側縁を、筆記シート１の搬送方向Ａ−Ｂと直交する方向にまっすぐな定規部としてもよい。
【００８８】
なお、図２３および図２４に示す書込み装置の他例である電子黒板装置では、罫引きを行わないとき、図２５に示すように、位置決め部材６０を回動して書込み面から表示枠３の横に退避し、筆記シート１への書込みに邪魔にならないようにする。または、図示省略するが、位置決め部材６０を回動して書込み面から表示枠３の裏側まで退避するようにしてもよい。このようにすると、表示枠３の横からも退避することができ、一層邪魔にならず、見栄えもよくすることができる。
【００８９】
位置決め部材６０は、筆記シート１の搬送方向Ａ−Ｂのいずれか一側に設けてもよいし、両側に設けてもよい。また、シート搬送方向Ａ−Ｂに直交する表示枠３の近傍に取り付けると、機能を満足し、かつより小型とすることができる。
【００９０】
【発明の効果】
以上、詳述したように、この発明によれば、筆記シートの搬送方向に直線を引くために、表示枠またはそれに取り付けて前記搬送方向と直交する方向に配置する位置決め部材に、ペンの先端を位置決めするペン位置決め部を設けるので、直線を引くための罫引装置を装着する必要がなく、またペンホルダ自身を縦横に移動する必要がなく、罫引きを簡単に行うことができる書込み装置を提供することができる。
【００９１】
請求項２に記載の発明によれば、表示枠の内縁または位置決め部材の縁部を切り欠いてペン位置決め部を設けるので、容易にペン位置決め部を設けることができる。
【００９２】
請求項３に記載の発明によれば、表示枠の内縁または位置決め部材の縁部をＶ字状に切り欠いてペン位置決め部を設けるので、容易にペンを固定することができる。
【００９３】
請求項４に記載の発明によれば、表示枠の内縁または位置決め部材の縁部をＵ字状に切り欠いてペン位置決め部を設けるので、容易にペンを固定することができる。
【００９４】
請求項５に記載の発明によれば、ペン位置決め部を複数設けるので、筆記シートに複数本の直線を引くことができる。
【００９５】
請求項６に記載の発明によれば、表示枠または位置決め部材にペン位置決め孔を形成して、そのペン位置決め孔にペン位置決め部を設けるので、表示枠の内縁には、適宜、デザインを施すことができ、製品に付加価値を付与することができる。
【００９６】
請求項７に記載の発明によれば、ペン位置決め孔を複数設けるので、筆記シートに複数本の直線を引くことができる。
【００９７】
請求項８に記載の発明によれば、表示枠または位置決め部材に、筆記シートの搬送方向と直交する方向に沿って長孔を形成し、その長孔の内縁を切り欠いて、ペン位置決め部を複数設けるので、表示枠の内縁をペン位置決め部として使用せず、表示枠の内縁をペンで汚すことがなく見栄えのよい書込み装置を提供することができる。また、表示枠の内縁をストレートにしなければならないという制約をなくして、デザイン上やその他の理由から、表示枠の内縁をストレート以外に形成することもできる。
【００９８】
請求項９に記載の発明によれば、長孔の片側側縁を、筆記シートの搬送方向と直交する方向にまっすぐな定規部とするので、表示枠の内縁を定規部として使用せず、表示枠の内縁をペンで汚すことがなく見栄えのよい書込み装置を提供することができる。また、表示枠の内縁をストレートにしなければならないという制約をなくして、デザイン上やその他の理由から、表示枠の内縁をストレート以外に形成することもできる。
【００９９】
請求項１０に記載の発明によれば、表示枠または位置決め部材に、筆記シートの搬送方向と直交する方向にまっすぐな定規孔を形成し、その定規孔の両長側縁を定規部とするので、ユーザーが右利きであっても左利きであっても容易に縦直線を引くことができるのに加えて、表示枠の内縁を定規部として使用せず、表示枠をペンで汚すことがなく見栄えのよい書込み装置を提供することができる。また、表示枠の内縁をストレートにしなければならないという制約をなくして、デザイン上やその他の理由から、表示枠の内縁をストレート以外に形成することもできる。
【０１００】
請求項１１に記載の発明によれば、ペン位置決め部を、表示枠の筆記シートの搬送方向両側に設けるので、ユーザーが右利きであっても左利きであっても容易に直線を引くことができる。また、ユーザーに近い側のペン位置決め部を使用することができ、効率的に直線を引くことができる。さらに、筆記シートが巻き取りタイプの書込み装置の場合にも、端の書込み面まで完全に罫線を引くことができる。
【０１０１】
請求項１２に記載の発明によれば、ペン位置決め部の縁面を、前記表示枠の外向きに開くように傾斜して設けるので、ペンの保持がより安定し、ペンを立てて使用したときにペンの先端が筆記シートの表面を擦って生じる不快音を発生させることがない。
【０１０２】
請求項１３に記載の発明によれば、筆記シートに格子模様を構成する線を形成し、その線上に合致して直線を引くことができるようにペン位置決め部を設けるので、格子模様に沿って書いた文字などに後から直線を引いて表を作成する際に、直線が文字などの上に引かれることがなく、容易に表を作成することができる。
【図面の簡単な説明】
【図１】この発明の書込み装置の一例としての電子黒板装置の概略説明図である。
【図２】その横断面図である。
【図３】その操作部の平面図である。
【図４】その要部拡大図である。
【図５】（ａ）は、そのペン位置決め部の拡大図であり、（ｂ）は、そのＸ矢視縦断面図であり、（ｃ）は、その表示枠の内縁の縦断面図である。
【図６】その位置決め部にペンをあてて横直線を引いている状態を示す平面図である。
【図７】その縦断面図である。
【図８】（ａ）は、その位置決め部を示す平面図であり、（ｂ）は、その位置決め部の他例の平面図である。
【図９】その位置決め部のさらに他例の平面図である。
【図１０】（ａ）は、この発明の書込み装置の他例としての電子黒板装置の要部拡大図であり、（ｂ）は、その他例の一態様として、筆記シートの両端を駆動ローラに巻き付けたタイプの書込み装置の横断面図である。
【図１１】この発明の書込み装置のさらに他例としての電子黒板装置の要部拡大図である。
【図１２】この発明の書込み装置のさらにまた他例としての電子黒板装置の要部拡大図である。
【図１３】（ａ）は、そのさらに要部拡大図、（ｂ）は、そのＹ矢視縦断面図である。
【図１４】その位置決め部にペンをあてて横直線を引いている状態を示す平面図である。
【図１５】その縦断面図である。
【図１６】そのペン位置決め孔の他例を示す図である。
【図１７】さらにその他例としての電子黒板装置の要部拡大図である。
【図１８】さらにまた他例としての電子黒板装置の要部拡大図である。
【図１９】その定規部にペンをあてて縦直線を引いている状態を示す平面図である。
【図２０】その他例を示す要部拡大図である。
【図２１】この発明の書込み装置のさらにまた他例としての電子黒板装置の要部拡大図である。
【図２２】その定規部にペンをあてて縦直線を引いている状態を示す平面図である。
【図２３】この発明の書込み装置のさらにまた他例としての電子黒板装置の要部拡大斜視図である。
【図２４】その段付きねじ位置の縦断面図である。
【図２５】その位置決め部材を退避位置としたときの状態を示す斜視図である。
【符号の説明】
１    筆記シート
２    電子黒板装置本体
３    表示枠
３ａ，３ｂ    内縁
３ｃ，３ｄ    縦枠
３ｅ    頂枠
４０，４３    ペン位置決め部
４０ａ，４３ａ    縁面
４１    ペン
４１ａ    芯保持部
４１ｂ    先端
４２    ペン位置決め孔
４７    横線
５５    長孔
５５ａ，５５ｂ    側縁
５６，５６ａ，５６ｂ    定規部
５７    定規孔
５７ａ，５７ｂ    長側縁
６０    位置決め部材
６０ａ    位置決め部
６０ｂ，６０ｃ    段差
６１    段付きねじ
Ａ−Ｂ    筆記シートの搬送方向
Ｌ１    横直線
Ｌ２    縦直線
【図１】
2004223826.tif 000003
【図２】
2004223826.tif 000004
【図３】
2004223826.tif 000005
【図４】
2004223826.tif 000006
【図５】
2004223826.tif 000007
【図６】
2004223826.tif 000008
【図７】
2004223826.tif 000009
【図８】
2004223826.tif 000010
【図９】
2004223826.tif 000011
【図１０】
2004223826.tif 000012
【図１１】
2004223826.tif 000013
【図１２】
2004223826.tif 000014
【図１３】
2004223826.tif 000015
【図１４】
2004223826.tif 000016
【図１５】
2004223826.tif 000017
【図１６】
2004223826.tif 000018
【図１７】
2004223826.tif 000019
【図１８】
2004223826.tif 000020
【図１９】
2004223826.tif 000021
【図２０】
2004223826.tif 000022
【図２１】
2004223826.tif 000023
【図２２】
2004223826.tif 000024
【図２３】
2004223826.tif 000025
【図２４】
2004223826.tif 000026
【図２５】
2004223826.tif 000027